Podtech/llm-jp-corpus-v4-ja_patent huggingface dataset:
(57)【要約】      （修正有）【課題】自動運転が可能で、圧力調整されたエアにより切削加工屑を負担なく排除できる自動切削加工屑排除装置を提供する。【解決手段】切削加工部にフレキシブルエアノズルを複数本配設後、操作盤１で作業の条件に合わせタイマー５・５ａを設定し、圧力調整されたエアを噴射する。更に、タイマーの運転切替スイッチ６により連続運転と長時間無人運転も出来る。【選択図】図１
0003206743.tif 000002
【実用新案登録請求の範囲】
【請求項１】
機械加工に於ける切削加工屑を適切に排除し処理する為に、切削加工部にフレキシブルエアノズルを複数本配設後、操作盤で作業の条件に合わせタイマー設定（長時間・短時間）し圧力調整されたエアを噴射する。更に、連続運転（ドライ加工対応のため）と長時間無人運転も可能で終了時間設定も出来るタイマーの運転切替スイッチを設けていることを特徴とする自動切削加工屑排除装置。
【考案の詳細な説明】
【技術分野】
【０００１】  本考案は、多くの金属加工業の現場で困っている機械加工時（主にフライス加工）の堆積する切削加工屑の処理に対して問題を抱えている。切削加工屑が邪魔しての加工不良、エンドミル等加工ツールの低寿命化、更に作業能率の向上に関するものである。
【背景技術】
【０００２】  従来の機械加工に於ける旧式（フルカバーの無いタイプ等）やＮＣフライス、汎用機を使用する場合切削加工屑の回避機能が無いので、人的作業によりエアを切削加工部に当て切削加工屑を排除しなければならない為、作業の負担と効率低下の損失を招いている。
【考案の開示】
【考案が解決しようとする課題】
【０００３】  最新式のマシニングセンターには切削加工屑の回避機能があるが、高価なので取り入れることは困難である。これを比較的低価格で提供されることを望まれている。【０００４】  更に、新素材（ＣＦＲＰ等）の出現により該当素材の機械加工の機会も増えることも想定されるので、本装置の機能に粉塵対策の為のエア流体を応用したバキューム機能を付加することも考えられる。
【課題を解決するための手段】
【０００５】  本考案は、機械制御盤の横に取付け可能で工場内のコンプレッサーのエアを自動切削加工屑排除装置の操作盤上部のエア取入れ口に導入し、操作盤正面のエア吐出口にエアホースを接続する。【０００６】  更に、エアホース保持スタンドのエア受入筒に接続し切削加工部にフレキシブルエアノズル（２本）を導入する。【０００７】  本操作盤の主な構成は、タイマー１・２と運転切替スイッチ、エア圧力計及び調整ツマミである。内部にはリレー、ソレノイドバルブ、圧力調整弁等が配置されている。【０００８】  連続ドライ加工対応の為、連続運転可能な切替機能も搭載している。【０００９】  機能としては、タイマーにてエア噴射のＯＮ／ＯＦＦタイミングがとれエア圧力調整も可能で、適時に適正な空気圧力をフレキシブルエアノズルにて切削加工部に供給できる。又長時間無人運転も可能で終了時間設定も出来るようにタイマーの運転切替スイッチを設けている。
【考案の効果】
【００１０】  機械加工時に於ける切削加工屑の排除を適切に行うことは、旧式な加工機械等では人的作業に負担が強いられ切削工具や作業効率にも悪影響を及ぼしていた。本装置により自動運転が可能になり、切削加工部にフレキシブルエアノズルによりエアが噴射されるので、切削加工屑を負担なく排除できるようになり、工具の寿命や加工不良低減と作業環境の改善に貢献できる。【００１１】  更に仕上げ加工面の精度向上、自動機・小物プレス機等定期的にエア供給が必要な場面に応用できる。金属以外の新素材（ＣＦＲＰ等）加工への対応も可能である。
【考案を実施するための最良の形態】
【００１２】  以下、本考案の実施形態を図１〜図３に基づいて説明する。【００１３】  図１に於いて、自動切削加工屑排除装置の操作盤本体１は、機械制御盤の横に取付け可能で操作盤上部のエア取入れ口７にコンプレッサーのエアを導入する。操作盤正面のエア吐出口１０にエアホース１１を接続する。【００１４】  本操作盤１の主な構成は、タイマー１（長時間設定）５タイマー２（短時間設定）５と運転切替スイッチ（連続・断続）６エア圧力計８及びエア圧力調整ツマミ９からなる。【００１５】  図２は、１の斜視図である。【００１６】  図３は、１の１０にエアホース１１が接続されエアホース保持スタンド１６のエア受入筒１２に挿入する。フレキシブルエアノズル（２本）１３は１２に接続し切削加工部１４にエアを適正に噴射し切り子（切削加工屑）１５を排除する。
【図面の簡単な説明】
【００１７】
【図１】  本考案の自動切削加工屑排除装置の操作盤正面図
【図２】  本考案図１の操作盤斜視図
【図３】  本考案の実施形態を示す切削加工部とフレキシブルエアノズルの関連図
【符号の説明】
【００１８】１    自動切削加工屑排除装置の操作盤本体
２    電源スイッチ  ＯＮ
２ａ  電源スイッチ  ＯＦＦ
３    電源ランプ
４    ヒューズ
５    タイマー  １
５ａ  タイマー  ２
６    運転切替スイッチ（連続・断続）
７    エア取入れ口（コンプレッサー）
８    エア圧力計
９    エア圧力調整ツマミ
１０  エア吐出口
１１  エアホース
１２  エア受入筒
１３  フレキシブルエアノズル（２本）
１４  切削加工部
１５  切り子（切削加工屑）
１６  エアホース保持スタンド
【図１】
0003206743.tif 000003
【図２】
0003206743.tif 000004
【図３】
0003206743.tif 000005
【手続補正書】
【提出日】平成28年4月26日(2016.4.26)
【手続補正１】
【補正対象書類名】実用新案登録請求の範囲
【補正対象項目名】全文
【補正方法】変更
【補正の内容】
【実用新案登録請求の範囲】
【請求項１】
コンプレッサーのエアを導入した自動切削加工屑排除装置の操作盤の主な構成は、タイマー、運転切替スイッチ、エア圧力計及び調整ツマミで、内部にはリレー、ソレノイドバルブ、圧力調整弁等が配設された操作盤で、作業条件に合わせタイマー設定すると圧力調整されたエアが、操作盤正面の吐出口に接続されたエアホースより効率よく適切に切削加工部に噴射されることを特徴とする自動切削加工屑排除装置。
【手続補正書】
【提出日】平成28年7月15日(2016.7.15)
【手続補正１】
【補正対象書類名】実用新案登録請求の範囲
【補正対象項目名】全文
【補正方法】変更
【補正の内容】
【実用新案登録請求の範囲】
【請求項１】
コンプレッサーのエアを導入した自動切削加工屑排除装置の操作盤の主な構成は、タイマー、運転切替スイッチ、エア圧力計及び調整ツマミで、内部にはリレー、ソレノイドバルブ及び圧力調整弁が配設された操作盤で、作業条件に合わせタイマー設定すると圧力調整されたエアが、操作盤正面の吐出口に接続されたエアホースより効率よく適切に切削加工部に噴射されることを特徴とする自動切削加工屑排除装置。
(57)【要約】      （修正有）【課題】水中において最良の水力を得ることが出来る水車を提供する。【解決手段】一対の円形部材の間に、羽根止め針３の軸の回りを自由に回転できるように羽根２を取り付けた。【選択図】図１
0003206742.tif 000002
【実用新案登録請求の範囲】
【請求項１】
円形の材料に自由に動く羽根を取り付けた水車。
【考案の詳細な説明】
【考案の名称】
【考案が解決しようとする課題】
【０００１】  水中において水車が回転する。
【０００２】  水中で羽根を折りたたむ。
【考案の効果】
【０００３】  河川で増水、減水したときでも水車を回転することが出来る。
【考案を実施するための形態】
【０００４】  以下、本案の実施について説明する、図１にもとずいて円形の材料に取り付けた羽根止め釘に自由に動く羽根を取り付ける、水流により羽根が自由に動く為、水流により最良の水圧を得る。
【図面の簡単な説明】
【０００５】
【図１】  水車の正面図
【図２】  水車の側面図
【符号の説明】
【０００６】  １  水車      ２  羽根      ３  羽根止め釘      ４  シャフト
【図１】
0003206742.tif 000003
【図２】
0003206742.tif 000004
【手続補正書】
【提出日】平成28年5月6日(2016.5.6)
【手続補正１】
【補正対象書類名】実用新案登録請求の範囲
【補正対象項目名】全文
【補正方法】変更
【補正の内容】
【実用新案登録請求の範囲】
【請求項１】
水車のシャフトに円筒形の部材を取り付け、一対の円形の部材の間に、羽根止め針の軸の回りを自由に動くことが出来るように羽根を取り付けた水車。
【手続補正書】
【提出日】平成28年7月15日(2016.7.15)
【手続補正１】
【補正対象書類名】実用新案登録請求の範囲
【補正対象項目名】全文
【補正方法】変更
【補正の内容】
【実用新案登録請求の範囲】
【請求項１】
一対の円形部材の間に、羽根止め針の軸の回りを自由に回転できるように羽根を取り付けた水車。
(57)【要約】      （修正有）【課題】終わった月のカレンダーを取り除くとともに、長期の月日を見ることが出来るカレンダーを提供する。【解決手段】一年カレンダーの月日の配列において、カレンダーの各月の印刷を一枚目の下から、１月２月３月４月５月６月を印刷し、二枚目下から７月８月９月１０月１１月１２月と印刷する。また、カレンダーの各月の曜日を一列に２週間、１４日にて、日を三列にて印刷する。カレンダーの各月に切り取り用のミシン目を加工するのが好ましい。【選択図】図１
0003206746.tif 000002
【実用新案登録請求の範囲】
【請求項１】
本考案は、一年カレンダーの月日の配列において、カレンダーの各月の印刷を一枚目の下から、１月２月３月４月５月６月を印刷する、二枚目下から７月８月９月１０月１１月１２月と印刷する考案である。
【請求項２】
上記、カレンダーの各月の曜日を一列に２週間、１４日にて、日を三行にて印刷する考案である。
【請求項３】
上記、カレンダーの各月に切り取りミシンを加工する考案である。
【考案の詳細な説明】
【考案の開示】
【考案が解決しようとする課題】
【０００１】  本考案は、カレンダーの各月が終わると、終わった月のカレンダーは不要に成るため、終わった月のカレンダーを取り除くことを課題としている。【０００２】  上記の不要な月のカレンダーがあるため、長期の月日を見ることが出来ないことを課題としている。
【考案が解決するための手段】
【０００３】  本考案は、カレンダーの各月が終わると、終わった月のカレンダーは不要に成るため切り取る手段を設けている。
【０００４】  上記の不要な月のカレンダーを切り取ると数ヶ月先のカレンダーが下のペイジから表示されるため、長期の月日を見ることが出来る手段を設けてある。
【考案の効果】
【産業上の利用可能性】
【０００５】  本考案のカレンダーは，ページ数が少なく、長期にわたって、月日が表示できる。【０００６】  終わった月から切り離して、数ヶ月前のカレンダーが表示される。
【考案の実施するための最良の形態】
【０００７】  本考案の実施の形態を図面を参照しながら詳細に説明する。なお、以下の説明にあたって、同一構成要件については、同一符号を付けて、重複した説明を省略する。
【０００８】  本考案は、一年カレンダーの各月の配列において、カレンダーの各月の印刷を一枚目の下から、１月２月３月４月５月６月を印刷する、二枚目も下から７月８月９月１０月１１月１２月と印刷する。
【０００９】  上記、カレンダーの各月の曜日を一列に二週間、１４日にて、日を三列にて印刷する。
【００１０】  上記、カレンダーの各月に切り取りミシンを加工する。
【００１１】  本考案のカレンダーは、カレンダーの枚数が少なくなることもある、又各日、曜日の配列は、自由に変更することができる。
【００１２】本考案に係るカレンダーは、上記考案の全体に関する考案であって、前延した実施形態に限定されるものではない。本考案に係る各部の具体的な構成は、変更自在である。
【図面の簡単な説明】
【図１】  本考案に係る一例を示す正面図。
【図２】  図１の二枚目を示す正面図。
【符号の説明】  １  切り取り線
【図１】
0003206746.tif 000003
【図２】
0003206746.tif 000004
【手続補正書】
【提出日】平成28年5月23日(2016.5.23)
【手続補正１】
【補正対象書類名】実用新案登録請求の範囲
【補正対象項目名】全文
【補正方法】変更
【補正の内容】
【実用新案登録請求の範囲】
【請求項１】
本考案は、一年カレンダーの月日の配列において、カレンダーの各月の印刷を一枚目の下から、１月２月３月４月５月６月を印刷する、二枚目下から７月８月９月１０月１１月１２月と印刷する考案である。
【請求項２】
カレンダーの各月の曜日を一行に２週間、１４日にて、日を三行にて印刷する、請求項１のカレンダーの考案である。
【請求項３】
カレンダーの各月に切り取りミシンを加工する、請求項１のカレンダーの考案である。
【手続補正書】
【提出日】平成28年7月15日(2016.7.15)
【手続補正１】
【補正対象書類名】実用新案登録請求の範囲
【補正対象項目名】全文
【補正方法】変更
【補正の内容】
【実用新案登録請求の範囲】
【請求項１】
一年カレンダーの月日の配列において、カレンダーの各月の印刷を一枚目の下から、１月２月３月４月５月６月を印刷する、二枚目下から７月８月９月１０月１１月１２月と印刷する，カレンダー。
【請求項２】
カレンダーの各月の曜日を一行に２週間、１４日にて、日を三行にて印刷する、請求項１のカレンダー。
【請求項３】
カレンダーの各月に切り取りミシンを加工する、請求項１のカレンダー。
(57)【要約】      （修正有）【課題】冬季、自動車のフロントガラスに霜が付着するのを防止できる霜除け具を提供する。【解決手段】塩化ビニール等の柔らかい樹脂からなる吸着盤を造り、それをフロントガラス等に貼り付ける。フロントガラスの表面に空気中の水蒸気が存在しなくなり、霜の発生を防げる。【選択図】図１
0003206748.tif 000002
【実用新案登録請求の範囲】
【請求項１】
自動車のフロントガラス等の霜除けとして、塩化ビニール等の柔らかい樹脂からなる吸着盤を造り、それをフロントガラス等に貼り付けて霜の発生を防ぐ方法。
【請求項２】
吸着盤の張り付ける場所に合わせて、吸着盤を切って形状を変えることができる方法。
【請求項３】
吸着盤自体がレンズになって、車内で火災などが起こらないように不透明にした方法。
【考案の詳細な説明】
【技術分野】
【０００１】  本考案は、特に冬季の時期等で自動車のフロントガラス面等に、霜が付着しないことを目的とするものである。
【背景技術】
【０００２】  冬季等寒冷期に於いては、特に早朝、自動車の運転を開始するときに、フロントガラス等に霜が附着していることがある。窓に付着した霜は窓霜と呼ばれ、窓を不透明にしてしまうため自動車を運転するのであれば外が見えなくなってしまうため、取り除く必要がある。
そこで、その霜の附着部分を蒸しタオルで拭いたりお湯をかけたり、自動車を暖気運転をしたり霜の溶けるのを待つ等などで、霜の除去をしなければならなくなっているが、面倒なことと、それ以上に蒸しタオルやお湯かけは、ガラスが割れる危険性があるなどの問題が起こっている。
【先行技術文献】
【０００３】
【特許文献】
【０００４】
【非特許文献】
【０００５】
【考案の概要】
【考案が解決しようとする課題】
【０００６】  本考案は、フロントガラス等に付着した霜を如何にして除去するかという方法では無く、フロントガラス等に霜が付着しないようにする方法で、霜対策を講じたものである。
そもそもフロントガラス等の霜の附着とはフロントガラス等の表面温度が０℃以下に冷えると、空気中の水蒸気が昇華（固体化）して、フロントガラス等の表面に微細な結晶構造を持つ氷が成長するが、この結晶即ち着氷現象が霜であり「窓霜」という。従って、フロントガラス等の表面に空気中の水蒸気が存在していなければ霜は付着しないということになり、その方法を講じることによって霜の発生を無くするようにしたものである。
【課題を解決するための手段】
【０００７】  上記の課題に鑑みて試された、本考案の目的を達成させる手段として、フロントガラス等に張り付ける吸着盤による方法を講ずることとした。
フロントガラス等に塩化ビニール等の柔らかい樹脂で吸着盤を造り、それをフロントガラス等に吸着させる方法をとった。この方法によれば、霜の発生しない温度の時点で、吸着盤を押した後に放して元に戻すと、その吸着盤は真空状態となってフロントガラス等に吸着するため空気は基より水の侵入は無く、従ってフロントガラスに窓霜が発生することは無い。
【考案の効果】
【０００８】  本考案の効果のテストとして、今冬の夜間最低気温が−３℃迄下がった時に、乗用車のフロントガラスに、試作した吸着盤でフロントガラスの窓霜発生のテストをしたが、翌早朝の確認では、窓霜は発生していなかった。
一方、同じ場所に駐車していて吸着盤を設置していなかった、他の乗用車のフロントガラスには、窓霜の発生が見られ、本考案の効果の確認をすることができた。
【考案を実施するための形態】
【０００９】  以下、本考案を実施するための最良の形態について、図面を参照して説明する。
【００１０】  まず、塩化ビニール等の柔らかい樹脂で吸着盤：１を造る、その吸着盤：１は、中心部分が山形に盛り上がっていて、その下部に空隙部分がある。
一方、吸着盤：１の上部にハンドル：２があり、また、山形の盛り上がりの途中に爪部：３がある。
【００１１】  本考案の「霜除け具」を使用するには、先ず外気温が０℃迄に低くならない内にフロントガラス等で窓霜の発生を抑えたい場所に、吸着盤：１を設置するのであるが、その場所に吸着盤：１を置いてから、ハンドル：２を手で押してから手を放せばよい。
【００１２】  吸着盤の設置したい場所が狭いとか形状により、吸着盤がそのままの形状で吸着できない場合は、吸着盤を切ってその形状に合わせることをすれば良い。
【００１３】  吸着盤をフロントガラス等から引き剥がす時は、爪部：３をつかんで引き剥がせばよい。
【００１４】  本考案の「霜除け具」である吸着盤を自動車に張り付け個所は、フロントガラス：４の他に、リアガラス：５、サイドガラス：６、バックミラー：７が考えられるが、自動車運転者の運転中で視野に入る場所全てが対象設置場所である。
【図面の簡単な説明】
【図１】本考案の上面図である。
【図２】本考案の断面図である。
【図３】本考案を実施するときに、吸着盤を張り付ける場所の例の図である。
【図４】本考案を実施するときに、吸着盤の設置場所が狭い事が予想される個所を示した一例の図である
【図５】［図４］のような場所に吸着盤を張り付ける場合に、吸着盤を張り付ける場所の形状に合わせて、吸着盤［図１］の斜線部分を切った場合の図である。
【図６】バックミラー：７の図である。この個所に設置する場合も［図５］同様に形状に合わせて、吸着盤を切れば良い。
【符号の説明】
【００１５】１・・・吸着盤本体
２・・・ハンドル
３・・・爪部
４・・・フロントガラス
５・・・リアガラス
６・・・サイドガラス
７・・・バックミラー
【実施例１】
【００１６】
【産業上の利用可能性】
【００１７】本考案の他に活用できる分野として、次の分野が考えられる。
▲１▼  乗り物としては、自動車のみならず、電車を始めとする鉄道分野で、又、家庭用としては、住宅の窓での活用が考えられる。
【図１】
0003206748.tif 000003
【図２】
0003206748.tif 000004
【図３】
0003206748.tif 000005
0003206748.tif 000006
【図６】
0003206748.tif 000007
【手続補正書】
【提出日】平成28年7月15日(2016.7.15)
【手続補正１】
【補正対象書類名】実用新案登録請求の範囲
【補正対象項目名】全文
【補正方法】変更
【補正の内容】
【実用新案登録請求の範囲】
【請求項１】
自動車のフロントガラス等の霜除けとして、塩化ビニール等の柔らかい樹脂からなる吸着盤を造り、それをフロントガラス等に貼り付けて霜の発生を防ぐことを特徴とする霜除け具。
【請求項２】
吸着盤の張り付ける場所に合わせて、吸着盤を切って形状を変えることができることを特徴とする請求項１に記載の霜除け具。
【請求項３】
吸着盤自体がレンズになって、車内で火災などが起こらないように不透明にしたことを特徴とする請求項１に記載の霜除け具。
【手続補正３】
【補正対象書類名】図面
【補正対象項目名】全図
【補正方法】変更
【補正の内容】
【図１】
0003206748.tif 000008
【図２】
0003206748.tif 000009
【図３】
0003206748.tif 000010
【図４】
0003206748.tif 000011
【図５】
0003206748.tif 000012
【図６】
0003206748.tif 000013
(57)【要約】      （修正有）【課題】津波到達最中激流に飲まれたとしても持ち応え室内に避難していれば命が助かる津波シェルター装置を提供する。【解決手段】内壁外壁のＦＲＰを素材の中にスタイロフォームを挟み入れ三重構造で形成することにより強度が倍増し水上に浮く津波シェルター装置であり、本体１の内部が避難室であり、非常事態に備え底面の貯水槽に飲料水を貯えて置く。津波到来時には、浮きピンを抜きとり、固定台から本体を外し、出入り口３、４から侵入しドアをロックし、換気口２もロックする。覗き窓５から外部の様子を見えるようにしておくのが好ましい。【選択図】図１
0003206747.tif 000002
【実用新案登録請求の範囲】
【請求項１】
津波シェルター装置本体は内壁外壁のＦＲＰを素材とする中にスタイロフォームを挟み入れ三重構造で形成することにより強度効果が倍増し水上に浮く津波シェルター装置。
【請求項２】
本体床面の下底に貯水槽を設ける事により強度効果を得る。益すごとに区分けする事でも強度効果が倍増になり得る事。貯水が一度に一か所に片寄らない構造の特徴を生かし、その飲料水の重量で重みを持たせ安定感を備えた津波シェルター装置。
【考案の詳細な説明】
【技術分野】
【０００１】    本考案は津波から人々の生命を守る事が出来る津波シェルター装置に関するものである。
【背景技術】
【０００２】    日本大地震３．１１が現実に発生し大津波が起き数多くの人の命が波に飲まれ犠牲となりました。人々が逃げ場もない避難場所もない有様だった。
【考案の概要】
【考案が解決しようとする課題】
【０００３】    津波シェルター装置本体は日頃固定台の上に設置して置きます。津波警報が発令されたら事態に備えます。波が到達し水面が上昇し始めると本体が浮上し波に流され漂流することで津波シェルター装置の機能が発揮します。流されるがままに流され荒れ狂う激流に巻き込まれ対抗し終えた後潮が引くまで津波シェルター装置の室内にて救援を待つ。
【課題を解決するための手段】
【０００４】    津波シェルター装置本体の底面に強度効果を得るために貯水槽を設け益すを区分け衝撃を分散し水量が一か所に片寄らない様に形成した飲料水用タンクの中に水を入れその重量で重心が床面になる事で安定する。また、本体全面の壁の中にスタイロフォームを装着させ挟み入れる形で強度効果も兼ね、万が一外壁が破損したとしてもスタイロフォームが衝撃を和らげると同時にスタイロフォームの浮力効果により沈む事はありません。従って、本考案の津波シェルター装置に適合した素材から成るものでスタイロフォームを取り入れ形成した津波シェルター装置は人命が助かってこそ人の役に立つ津波対抗シェルター装置であり津波警報が出たら津波シェルター装置内に逃げ込み避難できる事で解決する。
【考案の効果】
【０００５】    津波シェルター装置は非常事態を想定し、水、食料、必要な物資を取り揃え備蓄しておける避難用構造物体であり、しかも防音効果にも優れていて日頃はカラオケルームや勉強部屋などに使えて便利。災害事態に備えた津波シェルター装置である。そこに逃げ場所がある。という事だけでも安心感がもてる。津波警報がでたら、津波から身を守る手段として津波シェルター装置内に逃げ込める唯一の避難場所を設ける事により人々に役立つ。
【図面の簡単な説明】
【０００６】
【図１】シエルター本体
【図２】換気口断面図、貯水槽断面図及び鉄骨台
【考案を実施するための形態】
【０００７】津波シェルター装置本体は日頃は固定台の上に設置しておきます。津波警報が発令されたら、事態に備えます。まず本体との連結ピンを抜きとり本体が自在になるようにします。波が到達し水面が上昇し始めると本体が浮上し波に流され漂流することで津波シェルター装置の機能が発揮されます。流されるがままに流され荒れ狂う激流に対抗し終えたのち潮が引くまで津波シェルター装置の室内にて救護を待つ。
【実施例】
【０００８】１はＦＲＰを素材とする内壁と外壁の間にスタイロフォームを挟み込みいれる形で浮の役割と強度効果を兼ねた本体。２は屋根に換気槽を設けることで強度、断熱効果が倍増となり室内へ新鮮な空気を取り入れるため益ごとにフィルターを設けた屋根。３と４は人の出入り口。上下開閉ドア。本体が浮上した時を考え水面からはなるだけ離れた上部位置にする。５の覗き窓は内部から外景が見やすい位置にする。６は２の断面の区分け図で換気取り入れ口と排気口を別個にし外部からの破損衝撃を和らげる為のものでもある。７は本体の底面を区分けし益すを設けることにより水量が一度に片寄らないようにした飲料水用タンク。室内に手動または電動ポンプを設け蛇口から水が出て飲めるようにする。８は本体の台鉄骨の重し。９は本体との連結金具ジョイント。１０は浮ピン。
【符号の説明】
【０００９】１  シェルター装置本体
２  換気口
３．４  出入り口上下開閉ドア
５  覗き窓
６  換気口断面図
７  貯水槽断面図
８  鉄骨台
９  本体と連結金具
１０浮きピン
【図１】
0003206747.tif 000003
【図２】
0003206747.tif 000004
【手続補正書】
【提出日】平成28年5月2日(2016.5.2)
【手続補正１】
【補正対象書類名】実用新案登録請求の範囲
【補正対象項目名】全文
【補正方法】変更
【補正の内容】
【実用新案登録請求の範囲】
【請求項１】
津波シェルター装置本体は内壁外壁のＦＲＰを素材とする中にスタイロフォームを挟み入れ三重構造で形成することにより強度効果が倍増し水上に浮く津波シェルター装置。
【請求項２】
本体床面の下底に貯水槽を設ける事により強度効果を得る益すごとに区分けする事でも強度効果が倍増になり得る事貯水が一度に一か所に片寄らない構造の特徴を生かしその飲料水の重量で重みを持たせ安定感を備えた津波シェルター装置。
【手続補正書】
【提出日】平成28年7月19日(2016.7.19)
【手続補正１】
【補正対象書類名】実用新案登録請求の範囲
【補正対象項目名】全文
【補正方法】変更
【補正の内容】
【実用新案登録請求の範囲】
【請求項１】
津波シェルター装置本体は内壁外壁のＦＲＰ素材とする中にスタイロフォームを挟み入れ三重構造で形成する事により強度効果が倍増し水上に浮く津波シェルター装置。
【請求項２】
本体の底部分に水が一度に一か所に片寄らない区分けした構造の貯水槽を設けた津波シェルター装置。
(57)【要約】      （修正有）【課題】車椅子の足乗せを直接手でつかまず衛生的な車椅子を提供する。【解決手段】足乗せ２に取手部１を設け、取手部１を手４でつかんで足乗せ２を動かす。【選択図】図３
0003206784.tif 000002
【実用新案登録請求の範囲】
【請求項１】
足乗せに取手部を設けた車椅子。
【考案の詳細な説明】
【技術分野】
【０００１】  本考案は、車椅子の足乗せに関するものである。
【背景技術】
【０００２】  従来、車椅子の足乗せは足を乗せる部分を直接、手でつかんで動かしていた。
【考案の開示】
【考案が解決しようとする課題】
【０００３】  従来は次のような欠点があった。
従来、車椅子の足乗せは靴をはいたまま足を乗せるため、足乗せは汚れており、足乗せを直接、手でつかんで動かすのは衛生的ではなかった。
本考案は、上記の欠点を除くためになされたものである。
【課題を解決するための手段】
【０００４】  足乗せに取手部を設ける。
本考案は、以上のような構成により問題点を解決している。
【考案の効果】
【０００５】  取手部をつかんで足乗せを動かすので足乗せを直接、手でつかまないので衛生的である。
【考案を実施するための最良の形態】
【０００６】  以下、本考案の実施例について説明する。
足乗せ２に取手部１を設ける。
取手部１を手４でつかんで足乗せ２を動かす。
図５において、取手部１とは形状が異なる取手部５を実施例の一つとしている。
図６において、取手部１とは形状が異なる取手部６を実施例の一つとしている。
形状、位置、素材をいろいろにすることにより、多種多様にすることができる。
【図面の簡単な説明】
【０００７】
【図１】本考案の斜視図である。
【図２】本考案の手でつかんだ斜視図である。
【図３】本考案の手でつかんで動かした斜視図である。
【図４】本考案の斜視図である。
【図５】本考案の取手部の形状が異なる斜視図である。
【図６】本考案の取手部の形状が異なる斜視図である。各図の各部において主要部以外は省略している。各図の各部において波線以外の部分は省略している。
【符号の説明】
【０００８】  １    取手部
２    足乗せ
３    車椅子
４    手
５    取手部
６    取手部
７    穴
【図１】
0003206784.tif 000003
【図２】
0003206784.tif 000004
【図３】
0003206784.tif 000005
【図４】
0003206784.tif 000006
【図５】
0003206784.tif 000007
【図６】
0003206784.tif 000008
(57)【要約】      （修正有）【課題】身長の記録を柱に刻みつける事が難しい現代の家屋事情において、柱材又は板材を記録材として測定した身長を記録し、幼少期からの身長の成長過程を記録して、任意の柱材又は板材で成長の木録を作ることができる身長測定器を提供する。【解決手段】柱材又は板材を挟んで滑動する挟持部１に、頭頂に当てて身長を測る腕木部２を取り付けて、柱材又は板材を記録材として身長を記録する。また、子供が寝ている状態と立っている状態とで身長を測定できるように、挟持部１の正面と側面とに腕木部２を付け替えて使用できる構造の身長測定器とする。【選択図】図１
0003206864.tif 000002
【実用新案登録請求の範囲】
【請求項１】
柱材又は板材を挟んで滑動する挟持部と、頭頂に当てて身長を測る腕木部を備えて、前記挟持部と前記腕木部とは組立式であり、挟持部の正面と側面とに腕木部を取り付けられる構造であること特徴とする身長測定器。
【請求項２】
頭頂に当てる腕木部を挟持部の正面と側面とに付け替えることにより、立っている状態と寝ている状態とで身長を測定できることを特徴とする請求項1に記載の身長測定器
【考案の詳細な説明】
【技術分野】
【０００１】
本考案は、柱材又は板材の記録材に、身長の成長過程を記録する身長測定器に関する。
【背景技術】
【０００２】
従来の身長測定器には、目盛りをつけた身長計と測定用具を組み合わせたものがある。特許文献１には、目盛りを付けた折りたたみ式の板に測定補助具をつけたものがある。特許文献２には、目盛りをつけたレールに測定棒を組み合わせたものがある。これらはいずれも測定用の板に専用の測定具を使用するものである。
【先行技術文献】
【特許文献】
【０００３】
【特許文献１】実用新案登録第３１１４０３０号
【特許文献２】実用新案登録第３０３７１８５号
【考案の概要】
【考案が解決しようとする課題】
【０００４】
身長の記録を柱に刻みつけることが難しい現代の家屋構造において、家の柱に身長を記録して成長の記録を残すことができない。また、幼少期からの身長の成長過程を記録して残したい。
【課題を解決するための手段】
【０００５】
柱材又は板材に取り付けて滑動させることにより身長を測定する身長測定器を提供する。併せて、立つことが出来ない幼児の身長を寝せたままの状態で測定して記録できる身長測定器とする。
【考案の効果】
【０００６】
家の柱もしくは柱材又は板材を記録材として、身長測定器を使用して測定した身長を、記録材に記入又は刻み付けることにより記録できる。生まれた時からの成長過程を記録しておくことができる。良く歌われて、柱の傷で思い起こされる背比べを容易に類似体験することができる。
【図面の簡単な説明】
【０００７】
【図１】挟持部の正面に腕木部を付けた状態の身長測定器の側面図
【図２】挟持部の正面に腕木部を付けた状態の身長測定器の上面図
【図３】挟持部の側面に腕木部を付けた状態の身長測定器の正面図
【図４】挟持部の側面に腕木部を付けた状態の身長測定器の上面図
【図５】挟持部の背面図
【図６】子供が立った状態で測定している状況図
【図７】子供が寝た状態で測定している状況図
【考案を実施するための形態】
【０００８】
身長測定器の挟持部は、使用する柱材又は板材の記録材を挟んで滑動できるものとする。
【０００９】
身長測定器の腕木部は、挟持部に着脱可能な構造で、挟持部の正面と側面に付け替えが可能なものとする。
【００１０】
身長測定器の挟持部と腕木部とは、下側の面の位置を揃えて、頭頂に当てた腕木部の高さを挟持部の下側で記録材に記録できるものとする。
【実施例】
【００１１】
身長測定器は、腕木部を挟持部の正面に付けた時には立っている状態で身長を測定する。記録材を壁に固定するか立て掛けて、子供を記録材の前に立たせて床面を基準に身長を測定する。
【００１２】
身長測定器は、腕木部を挟持部の側面に付けた時には寝た状態で身長を測定する。記録材を床に寝せて置いた状態で、子供を記録材の横に並んで寝せて壁面を基準に身長を測定する。
【００１３】
身長測定器は、挟持部の溝幅を市販品の柱材及び板材の幅に合わせて、市販品の材料を記録材に使用できるものとする。又は、溝幅を調整可能な構造にして、幅が異なる柱材又は板材を記録材に使用可能なものとする。
【００１４】
身長測定器の挟持部と腕木部は、ほぞとほぞ穴、磁石、組立金具等により，腕木部を挟持部の正面と側面に容易に組み立てられて、ずれが生じない構造とする。
【００１５】
身長測定器の挟持部は、背面の溝において片側の側面に付けた弓状の板バネの圧力により、反対側の側面が記録材の側面に密着して滑動する。また、身長の測定位置で停止させておくことができる。
【産業上の利用可能性】
【００１６】
本考案の身長測定器は、柱が無い家屋や柱に傷をつけられない家屋においても、身長の記録を柱材又は板材の記録材に記録できる。幼少期からの成長の過程を記録に残すことができる。子供一人一人の記念品として成長の記録を作ることができる。本発明の身長測定器は、任意の柱材又は板材を使って成長の記録を刻みつけて、成長の木録として良い思い出を残すことができる。
【符号の説明】
【００１７】
１      挟持部
２      腕木部
３      弓状の板バネ
１０     身長測定器
２０     記録材
３０     立っている子供
４０     寝ている子供
【図１】
0003206864.tif 000003
【図２】
0003206864.tif 000004
【図３】
0003206864.tif 000005
【図４】
0003206864.tif 000006
【図５】
0003206864.tif 000007
【図６】
0003206864.tif 000008
【図７】
0003206864.tif 000009
(57)【要約】      （修正有）【課題】ヒートパイプとヒートシンクを用いて発生する熱を放熱空間の広い場所へ熱移送できる車両補助前照灯用パワーＬＥＤの冷却装置を提供する。【解決手段】車両補助前照灯用パワーＬＥＤ８に車両補助前照灯用パワーＬＥＤ・ヒートパイプ取付けブラケット９で右側ヒートパイプ３及び左側ヒートパイプ４をそれぞれ熱結合する。右側ヒートパイプ３及び左側ヒートパイプ４は、ヒートシンク２と熱結合する。車両補助前照灯を点灯させた時に発生する熱は、ヒートシンク２より放熱する。ヒートシンク２に取付けた温度センサ１の温度を取得して、設定温度を超えた場合はエアコンコンデンサモータファン６により放熱を行う。【選択図】図２
0003206892.tif 000002
【実用新案登録請求の範囲】
【請求項１】
（イ）車両補助前照灯用パワーＬＥＤをヒートパイプに熱結合する、
（ロ）エアコンコンデンサモータファンまたはラジエータモータファンの前にヒートシンクを設置する。
（ハ）（イ）記載のヒートパイプと（ロ）記載のヒートシンクをを熱結合する、
（ニ）（ロ）記載のヒートシンクに温度センサを取付ける、
（ホ）（ニ）記載の温度センサの値から（イ）記載の車両補助前照灯用パワーＬＥＤが作動可能な温度範囲に（ロ）記載のエアコンコンデンサモータファンまたはラジエータモータファンを制御する、
以上からなる車両補助前照灯用パワーＬＥＤの冷却装置。
【考案の詳細な説明】
【技術分野】
【０００１】  本考案は車両の補助前照灯に関する。
【技術背景】
【０００２】  車両補助前照灯用パワーＬＥＤは、発熱量の多い部品である。また、車両補助前照灯用パワーＬＥＤは適切な冷却が必要である。車両補助前照灯用パワーＬＥＤの冷却装置は、小形冷却ファンとヒートシンクを組み合わせた強制冷却装置が主流である。
【考案の概要】
【考案が解決しようとする課題】
【０００３】  しかしながら、小形冷却ファンとヒートシンク組み合わせた強制冷却装置は、小形冷却ファンが十分に機能する空間が必要である。また、雨水や砂埃により小形冷却ファンの寿命が短くなる可能性がある。
【課題を解決するための手段】
【０００４】  本考案は、車両補助前照灯用パワーＬＥＤが発生する熱をヒートパイプを利用してエアコンコンデンサモータファンまたはラジエータモータファンの前に設置したヒートシンクへ熱移送を行い冷却する。
また、ヒートシンクへ温度センサを取付けて、車両補助前照灯用パワーＬＥＤの温度管理を行う。ヒートシンクの温度が設定温度以上になったら、エアコンコンデンサモータファンまたはラジエータモータファンを制御してヒートシンクの冷却を行うことより上記課題を解決する。
【考案の効果】
【０００５】  車両補助前照灯用パワーＬＥＤが発生する熱をヒートパイプにより放熱空間の広い場所へ熱移送する事が可能になる。【０００６】  エアコンコンデンサモータファンやラジエータモータファンは信頼性の高い部品である。車両補助前照灯用パワーＬＥＤの安定した放熱が期待できる。
【図面の簡単な説明】
【０００７】
【図１】本考案に関わるヒートパイプを用いる冷却装置の概観図である。
【図２】本考案に関わるヒートパイプを用いる冷却装置を取付けた概観図である。
【考案を実施するための形態】
【０００８】  図１に示すように、温度センサ１をヒートシンク２に取付ける。右側ヒートパイプ３及び左側ヒートパイプ４は、ヒートシンク２と熱結合させる。
【０００９】  図２に示すように、エアコンコンデンサモータファン６の前にヒートシンク２を取付ける。車両補助前照灯用パワーＬＥＤ８は、車両補助前照灯用パワーＬＥＤ・ヒートパイプ取付けブラケット９にて右側ヒートパイプ３及び左側ヒートパイプ４と熱結合させる。
【００１０】  車両補助前照灯を点灯したときに発生する熱は、ヒートシンク２より放熱する。
【００１１】  ヒートシンク２に取付けた温度センサ１の温度を取得して、設定温度を超えた場合はエアコンコンデンサモータファン６により放熱を行う。
【００１２】  ヒートシンク２の設置場所は、右側ヒートパイプ３及び左側ヒートパイプ４の作動が最大になるように車両用補助前照灯パワーＬＥＤ８より高い位置に設置する。
【００１３】  ヒートシンク２の設置場所は、走行風の当たりやすい場所に設置する。
【符号の説明】
【００１４】１    温度センサ
２    ヒートシンク
３    右側ヒートパイプ
４    左側ヒートパイプ
５    ラジエータモータファン
６    エアコンコンデンサモータファン
７    車両補助前照灯ユニット
８    車両補助前照灯用パワーＬＥＤ
９    車両補助前照灯用パワーＬＥＤ・ヒートパイプ取付けブラケット
【図１】
0003206892.tif 000003
【図２】
0003206892.tif 000004
【手続補正書】
【提出日】平成28年7月12日(2016.7.12)
【手続補正１】
【補正対象書類名】実用新案登録請求の範囲
【補正対象項目名】全文
【補正方法】変更
【補正の内容】
【実用新案登録請求の範囲】
【請求項１】
（イ）車両補助前照灯用パワーＬＥＤをヒートパイプに熱結合する、
（ロ）エアコンコンデンサモータファンまたはラジエータモータファンの前にヒートシンクを設置する、
（ハ）（イ）記載のヒートパイプと（ロ）記載のヒートシンクを熱結合する、
（ニ）（ロ）記載のヒートシンクに温度センサを取付ける、
（ホ）（ニ）記載の温度センサの値から（イ）記載の車両補助前照灯用パワーＬＥＤが作動可能な温度範囲に（ロ）記載のエアコンコンデンサモータファンまたはラジエータモータファンを制御する、
以上からなる車両補助前照灯用パワーＬＥＤの冷却装置。
【手続補正２】
【補正対象書類名】明細書
【補正対象項目名】０００３
【補正方法】変更
【補正の内容】
【０００３】  しかしながら、小形冷却ファンとヒートシンクを組み合わせた強制冷却装置は、小形冷却ファンが十分に機能する空間が必要である。また、雨水や砂埃により小形冷却ファンの寿命が短くなる可能性がある。
(57)【要約】      （修正有）【課題】逆上がりを練習する際に一人でできるようにチューブを利用した補助具を提供する。【解決手段】弾性のある線条体１と、線条体１の両先端には線条体１の外径より大きい径のキャップ２を設けた逆上り補助具を特徴とする。【選択図】図１
0003206898.tif 000002
【実用新案登録請求の範囲】
【請求項１】
弾性のある線条体で構成され、使用者の腰部を支持するための中央部と鉄棒と共に手で握るための両端部よりなり、上記両端部にストッパーが設けられている逆上がり補助具。
【考案の詳細な説明】
【技術分野】
【０００１】  この考案はこどもが逆上がりを行う際、腰が鉄棒から離れるのを防ぎ、介添えなしで、逆上がりの技術を習得するための補助具である。
【背景技術】
【０００２】  従来、逆上がり習得練習の際は補助者の介添えを必要としていた。逆上がり習得できない理由としては、鉄棒から腹部が離れてしまうことが大きいのだが、先行文献のように一人で逆上がりができる補助具も考案されていた。
【先行技術文献】
【０００３】
【特許文献１】  特開２００６−３１１９３４
【考案の概要】
【考案が解決しようとする課題】
【０００４】  これは次のような欠点があった。こどもが逆上がり習得できない理由としては、鉄棒から腰が離れてしまうことが大きいのだが、そのための従来の補助具は、腹部と鉄棒が離れないように保持はできるのだが、装着が一人では困難なもので、手軽に装着して練習するには難しいと考えられる。本考案は、以上のような欠点をなくすためになされたものである。
【課題を解決するための手段】
【０００５】  本考案は、弾性のある線条体で構成され、使用者の腰部を支持するための中央部と鉄棒と共に手で握るための両端部よりなり、上記両端部にストッパーを設けた。
【考案の効果】
【０００６】  この線条体を腰に当て、両端を鉄棒と一緒に持つだけでよいので、装着の手間が掛からない。また、程よく弾性があり、持つ長さを調節することにより技量に合わせた練習が容易にできる。また、線条体より径の大きいキャップが両端部に設けているので鉄棒を線条体と共に握って逆上がりをするときにストッパーとなり、抜け落ちて腰部が離れないので補助具としての役割を果たす。
【図面の簡単な説明】
【０００７】
【図１】本考案の斜視図である。
【図２】本考案の断面図である。
【図３】本考案の使用状態の図である。
【図４】本考案を使用しない状態の図である。
【図５】本考案の使用状態の図である。
【考案を実施するための形態】
【０００８】  以下、本考案を実施するための形態について説明する。
図１及び、図２に示すように、弾性のあるチューブ１の両先端にチューブ１の外径より大きな径のキャップ２を被せてストッパーを構成する。これを使用するときは、図３に示すように腰部にチューブ１を当てがいながら、両端を鉄棒と一緒に握り、この状態で逆上がりを行う。逆上がりができないこどもが上記チューブ１を使用しない場合、図４に示すように、逆上がりをしようとしても腰が下がり、腕が伸び切ることにより腹部分が鉄棒から離れ、鉄棒を中心とした後方回転運動ができない。しかし、上記チューブ１を使用すれば、足を蹴り上げたとき、弾性力によって腰部が支持され鉄棒に密着しやすくなり、図５に示すように逆上がりをする際に、腕を曲げながらの理想的な後方へ蹴り上げ方や鉄棒を中心に体勢を移動させるタイミングが体得できる。両端を指に挟み鉄棒と一緒に持って逆上がりをするが、先端にはチューブ１の外径より大きな径のキャップ２を設けているので、それがストッパーとなり指から抜け落ちることなく腰部が離れず逆上がりができる。
【符号の説明】
【０００９】  １    弾性のあるチューブ
２    キャップ
【図１】
0003206898.tif 000003
【図２】
0003206898.tif 000004
【図３】
0003206898.tif 000005
【図４】
0003206898.tif 000006
【図５】
0003206898.tif 000007
(57)【要約】      （修正有）【課題】革などの手芸材料への手縫い用の穴を開ける位置を一定に保つことができるペンチ式の穴開けパンチを提供する。【解決手段】革などの手芸品への手縫い用の縫い穴を開ける際に、材料の端からの開けるべき位置や寸法をずれることなく一定に保ち縫い穴を開けることのできるように、先端に２本の穴開け刃物１を持った加工器具において、ナット５、７とボルト６を組み合わせた器具を取り付けて、そのボルト６を回すことによって、その先端に取り付けた当て４の位置を調節できるようにした。【選択図】図２
0003206895.tif 000002
【実用新案登録請求の範囲】
【請求項１】
革などの手芸品への手縫い用の縫い穴を開ける際に、材料の端からの開けるべき位置や寸法をずれることなく一定に保ち縫い穴を開けることのできるように、先端に２本の穴開け刃物を持った加工器具において、２本の刃物の手前へ当てを設けたペンチ式の穴開けパンチ。
【請求項２】
革などの手芸品への手縫い用の縫い穴を開ける際に、材料の端からの開けるべき位置や寸法をずれることなく一定に保ち縫い穴を開けることのできるように、先端に２本の穴開け刃物を持った加工器具において、ナットとボルトを組み合わせた器具を取り付けて、そのボルトを回すことによって、その先端に取り付けた当ての位置を調節できるようにした可動式の当てを設けたペンチ式の穴開けパンチ。
【考案の詳細な説明】
【技術分野】
【０００１】この考案は手芸において、革などの手芸材料へ手縫い用の縫い穴を開ける際に用いるもので、穴開け用の刃物を先端に持ち、中央の連結具で繋がっている２本のハンドルで構成されており、手で２本のハンドルを上下に作動させることにより刃物が上下して、材料へ縫い穴を開けることのできる手芸用のペンチ式のハンドルを持った穴開けパンチに関するものである。
【背景技術】
【０００２】従来、革などの手芸材料への穴開けにおいては、棒状の先端を尖らせて刃物として、この刃先を材料面に当てて上から押さえ込むことによって、穴を開けるのが基本であった。近時、この様な穴開け方法のみならず、連続する複数の穴開けをする場合において、先端に複数の刃物を持ったペンチ式の穴開けパンチを用いることも多くなっている。
【先行技術文献】
【特許文献】
【０００３】
【特許文献１】登録実用新案広報  実用新案登録第３１６０７２７号
【非特許文献】
【０００４】
【非特許文献１】「株式会社協進エル（東京都台東区）レザークラフト商品カタログ２０１３」  Ｐ２８  プロパンチ
【考案の概要】
【考案が解決しようとする課題】
【０００５】革などの手芸材料への縫い穴開けに於いては、事前の準備として筋立てなどで材料面へ印をし、その位置に穴開けパンチを用いて穴を開けているが、初心者では開けた穴がずれたり、間隔が揃わずに、縫い合わせたあとの仕上がりが悪くなってしまうという課題があった。
【課題を解決するための手段】
【０００６】これらの課題を解決するため、材料の端からの寸法を定まったものにすべく、穴開けパンチに寸法決めのできる当てを持たせたものにすべきものと思考する。【０００７】すなわち、ペンチ式の穴開けパンチの刃物の手前へ当てとなる器具を持たせて、材料の端に当てを押し付けて、ハンドルを上下させて刃物を上下させ、刃物の中間へ置いた材料へ穴を開けることのできるものと思考する。【０００８】更に改良するものとして、穴開けパンチに長いナットを取り付けたのちに、その中へ先端が２枚の刃物の中間に向かうように長いボルトをねじ込んで貫通させ、更に、このボルトの先端にＴ字状の当てを取り付ける。【０００９】この長いボルトを回して、Ｔ字状の当てと刃物との寸法を調整したのちに、その当てに材料の端を当てることによって、材料の端から開けるべき穴の位置を一定に保ったのちに穴を開ければ、穴の位置がずれたり、間隔のずれることを防げるものである。
【考案の効果】
【００１０】この考案は、革などの手縫い材料へ、事前に縫い位置への印付けをすることもなく、材料へ縫い穴をあけることが出来るものである。【００１１】しからば、この縫い穴を基本として縫った場合の仕上がりを綺麗にすることができるものである。
【図面の簡単な説明】
【００１２】
【図２】先端へ２本の穴開け刃物を取り付けたペンチ式のハンドルを連結具で交差させた穴開けパンチへ長いナットと長いボルトを組み合わせた器具の先端へ当てを取り付けたものを示したものである。
【考案を実施する為の形態】
【実施例】
【００１３】先端に穴開け用の刃物を持った２本のハンドルを連結具で交差させたペンチ式の穴開けパンチに長いナットと長いボルトを組み合わせた器具を取り付ける。
ナットへねじ込んで貫通させたボルトを回転することによって、ボルトを前後させて、そのボルトの先端に取り付けたＴ字状の当てと刃物との寸法を容易に変更できる器具とする。
これを用いて、材料の端にこの器具の当てを押し付けて、求めるべき穴開け位置を見通したのちにハンドルを握って、刃物を上下させる。しからば、材料への事前としての印付けをすることもなく、さらに整然とした穴を開けることが出来るものである。【００１４】更には、ボルトの緩みを防ぐ為に、ダブルナット方式でボルトを固定する為に長いナットの上にナットを設けるものとする。
【符号の説明】
【００１５】１穴開け用の刃物
２刃物を作動させるハンドル
３連結具
４Ｔ字状の当て
５取り付けたナット
６貫通させたボルト
７ダブルナット式でボルトを固定するナット
【図１】
0003206895.tif 000003
【図２】
0003206895.tif 000004
【手続補正書】
【提出日】平成28年7月25日(2016.7.25)
【手続補正１】
【補正対象書類名】明細書
【補正対象項目名】００１２
【補正方法】変更
【補正の内容】
【００１２】
【図１】先端へ２本の穴開け刃物を取り付けたペンチ式のハンドルを連結具で交差させた穴開けパンチへ当てを取り付けたものを示したものである。
【図２】先端へ２本の穴開け刃物を取り付けたペンチ式のハンドルを連結具で交差させた穴開けパンチへ長いナットと長いボルトを組み合わせた器具の先端へ当てを取り付けて、長いボルトを回すことによって、あての先端の位置を調節できよるようにしたものを示したものである。